(57)【要約】【課題】  一目で遊技台の調整状態の分布を見ることができ、釘調整や営業実態の調節に役立たせることができる各台情報表示端末システムを提供する。【解決手段】  遊技台毎に対応して設けられた情報表示端末装置は情報表示画面を備える。遊技場管理データは、遊技台毎の釘調整値、特賞確率設定、売上に関する情報、稼働率に関する情報、差玉に関する情報の各データ項目の少なくとも１つを含む。各データ項目の値を所定の条件に基いて判定し、その判定結果に基いた色または記号で前記情報表示端末装置に一斉に表示する。【選択図】      図１
2005168576.tif 000002
【特許請求の範囲】
【請求項１】
遊技場管理データを記憶管理する管理装置と、遊技台毎に対応して設けられ、かつ前記管理装置と各々通信接続された情報表示端末装置とにより構成された各台情報表示端末システムにおいて、前記情報表示端末装置は情報表示画面を備え、前記遊技場管理データは、前記遊技台毎の釘調整値、特賞確率設定、売上に関する情報、稼働率に関する情報、差玉に関する情報の各データ項目の少なくとも１つを含むと共に、前記各データ項目の値を所定の条件に基いて判定し、その判定結果に基いた色または記号で前記情報表示端末装置に一斉に表示するものであることを特徴とする各台情報表示端末システム。
【請求項２】
前記情報表示端末装置は、その情報表示領域の一部に当該情報表示端末装置に対応する本遊技台の前記データ項目の値の判定結果を色または記号で表示すると共に、前記色または記号表示した領域とは別の領域に、前記本遊技台とは異なる遊技台の前記データ項目の値の判定結果を色または記号で表示することを特徴とする請求項１に記載の各台情報表示端末システム。
【請求項３】
前記本遊技台とは異なる遊技台は、ホールにおける前記本遊技台の設置箇所と背中合わせで設置されている遊技台であることを特徴とする請求項２に記載の各台情報表示端末システム。
【請求項４】
前記本遊技台とは異なる遊技台は、ホールにおける前記本遊技台の設置箇所と向き合って対面して設置された遊技台であることを特徴とする請求項２に記載の各台情報表示端末システム。
【請求項５】
前記情報表示端末装置は、当該情報表示端末装置に対応する本遊技台の前記各データ項目より選ばれた複数のデータ項目について、その情報表示領域に前記複数のデータ項目の各値の判定結果を色または記号で表示することを特徴とする請求項１乃至４のうちのいずれか１つに記載の各台情報表示端末システム。
【請求項６】
前記情報表示端末装置は、当該情報表示端末装置に対応する本遊技台の各データ項目より選ばれた１つのデータ項目について、その情報表示領域の一部に特定日分の前記データ項目の値の判定結果を色または記号で表示すると共に、前記色または記号表示した領域とは別の領域に、前記特定日とは異なる別の日付の前記データ項目の値の判定結果を色または記号で表示することを特徴とする請求項１乃至５のうちのいずれか１つに記載の各台情報表示端末システム。
【請求項７】
前記データ項目の値の判定結果に基いた色又は記号が設定変更可能であることを特徴とする請求項１乃至６のうちのいずれか１つに記載の各台情報表示端末システム。
【請求項８】
前記情報表示端末装置は、前記データ項目の値を入力する入力手段を備え、前記入力手段から前記データ項目の値が入力されると該データ項目を入力された値に書き換え、書き換えた値に対応した色または記号で前記情報表示端末装置に表示することを特徴とする請求項１乃至７のうちのいずれか１つに記載の各台情報表示端末システム。
【請求項９】
前記管理装置に通信接続された携帯端末を有し、該携帯端末からデータ項目を前記管理装置に送信すると、前記管理装置が前記情報表示端末装置に前記データ項目を指令し、前記情報表示端末装置が指令されたデータ項目について、前記遊技台毎の前記データ項目の値の判定結果に基いた色または記号で前記情報表示端末装置に一斉に表示することを特徴とする請求項１乃至８のうちのいずれか１つに記載の各台情報表示端末システム。
【請求項１０】
前記各データ項目より選ばれた少なくとも１つの共通するデータ項目について、前記遊技台毎のデータ項目の値の判定結果に基いた色または記号で前記情報表示端末装置に一斉に表示した状態を、撮像手段により撮像し、前記撮像手段から得られた映像を前記管理装置に接続されたモニタに表示することを特徴とする請求項１乃至９のうちのいずれか１つに記載の各台情報表示端末システム。
【発明の詳細な説明】
【技術分野】
【０００１】
本発明は、遊技場管理データを記憶管理する管理装置と、遊技台毎に対応して設けられ、かつ前記管理装置と各々通信接続された情報表示端末装置とにより構成された各台情報表示端末システムに関する。
【背景技術】
【０００２】
遊技店においては、閉店後に釘調整や特賞確率の設定等の各種調整を行っている。これらの各種調整の参考にするために、その日の釘調整状態や遊技台毎の差玉等の営業データを紙媒体に出力している。この作業手順の場合、遊技店の事務所等で営業データを紙媒体に出力し、それを持って各遊技台まで出向き、実際に出向いた遊技台の前でその遊技台に関する営業データを探す必要があるため、調整に手間がかかると共に営業データの取り違えが起こりやすいという問題があった。
【０００３】
このような問題の解決を図るものとして、ホールコンピュータに入力された釘調整データ及び釘調整後の遊技履歴データ等に基づいて、当該パチンコ遊技台の釘調整の要否を判定し、その判定結果によりパチンコ遊技台毎に配設された情報表示端末装置の情報表示面にパチンコ遊技台の盤面図を表示し、釘調整を要する釘位置を該盤面図の対応する釘表示部位により報知するようにした釘調整要否報知システムが公知となっている（例えば、特許文献１参照）。
【０００４】
しかしながら、上記従来の釘調整要否報知システムにおいては、以下のような問題がある。遊技台毎に配設された情報表示端末装置の情報表示面を、ひとつずつ見て回らないと、遊技台の調整（釘調整）をすべきか否か、また、どの程度の調整をするべきかを知ることができなかった。また、要釘調整のものしか表示しないため、釘調整の必要が全くない遊技台や、釘調整が必要とまではいかないが要注意の遊技台等を含めた遊技店内の釘調整状態のバランス（分布）を見ることができなかった。
【０００５】
【特許文献１】特許掲載公報第３０８６４３１号公報
【発明の開示】
【発明が解決しようとする課題】
【０００６】
本発明の目的は、一目で遊技台の調整状態の分布を見ることができ、釘調整や営業実態の調節に役立たせることができる各台情報表示端末システムを提供することにある。
【課題を解決するための手段】
【０００７】
請求項１に記載の各台情報表示端末システムは、遊技場管理データを記憶管理する管理装置と、遊技台毎に対応して設けられ、かつ前記管理装置と各々通信接続された情報表示端末装置とにより構成されたものであって、前記情報表示端末装置は情報表示画面を備え、前記遊技場管理データは、前記遊技台毎の釘調整値、特賞確率設定、売上に関する情報、稼働率に関する情報、差玉に関する情報の各データ項目の少なくとも１つを含むと共に、前記各データ項目の値を所定の条件に基いて判定し、その判定結果に基いた色または記号で前記情報表示端末装置に一斉に表示するものであることを特徴とする。
【０００８】
請求項２に記載の各台情報表示端末システムは、請求項１に記載のものにおいて、その情報表示領域の一部に当該情報表示端末装置に対応する本遊技台の前記データ項目の値の判定結果を色または記号で表示すると共に、前記色または記号表示した領域とは別の領域に、前記本遊技台とは異なる遊技台の前記データ項目の値の判定結果を色または記号で表示することを特徴とするものである。
【０００９】
請求項３に記載の各台情報表示端末システムは、請求項２に記載のものにおいて、前記本遊技台とは異なる遊技台は、ホールにおける前記本遊技台の設置箇所と背中合わせで設置されている遊技台であることを特徴とする。また、請求項４に記載の各台情報表示端末システムは、請求項２に記載のものにおいて、前記本遊技台とは異なる遊技台は、ホールにおける前記本遊技台の設置箇所と向き合って対面して設置された遊技台であることを特徴とする。
【００１０】
請求項５に記載の各台情報表示端末システムは、請求項１乃至４のうちのいずれか１つに記載のものにおいて、当該情報表示端末装置に対応する本遊技台の前記各データ項目より選ばれた複数のデータ項目について、その情報表示領域に前記複数のデータ項目の各値の判定結果を色または記号で表示することを特徴とするものである。
【００１１】
請求項６に記載の各台情報表示端末システムは、請求項１乃至５のうちのいずれか１つに記載のものにおいて、当該情報表示端末装置に対応する本遊技台の各データ項目より選ばれた１つのデータ項目について、その情報表示領域の一部に特定日分の前記データ項目の値の判定結果を色または記号で表示すると共に、前記色または記号表示した領域とは別の領域に、前記特定日とは異なる別の日付の前記データ項目の値の判定結果を色または記号で表示することを特徴とするものである。
【００１２】
請求項７に記載の各台情報表示端末システムは、請求項１乃至６のうちのいずれか１つに記載のものにおいて、前記データ項目の値の判定結果に基いた色又は記号が設定変更可能であることを特徴とするものである。
【００１３】
請求項８に記載の各台情報表示端末システムは、請求項１乃至７のうちのいずれか１つに記載のものにおいて、前記データ項目の値を入力する入力手段を備え、前記入力手段から前記データ項目の値が入力されると該データ項目を入力された値に書き換え、書き換えた値に対応した色または記号で前記情報表示端末装置に表示することを特徴とするものである。
【００１４】
請求項９に記載の各台情報表示端末システムは、請求項１乃至８のうちのいずれか１つに記載のものにおいて、前記管理装置に通信接続された携帯端末を有し、該携帯端末からデータ項目を前記管理装置に送信すると、前記管理装置が前記情報表示端末装置に前記データ項目を指令し、前記情報表示端末装置が指令されたデータ項目について、前記遊技台毎の前記データ項目の値の判定結果に基いた色または記号で前記情報表示端末装置に一斉に表示することを特徴とするものである。
【００１５】
請求項１０に記載の各台情報表示端末システムは、請求項１乃至９のうちのいずれか１つに記載のものにおいて、前記各データ項目より選ばれた少なくとも１つの共通するデータ項目について、前記遊技台毎のデータ項目の値の判定結果に基いた色または記号で前記情報表示端末装置に一斉に表示した状態を、撮像手段により撮像し、前記撮像手段から得られた映像を前記管理装置に接続されたモニタに表示することを特徴とするものである。
【発明の効果】
【００１６】
請求項１に記載の構成によれば、遊技台毎の釘調整値、特賞確率設定、売上に関する情報、稼働率に関する情報、差玉に関する情報の各データ項目の少なくとも１つが、その値の判定結果に基いた色または記号で情報表示端末装置の情報表示画面に一斉に表示されるので、一目で遊技台の釘調整状態、特賞確率設定状態、売上状態、稼働率の状態或いは差玉の状態の分布を見ることができ、釘調整や営業実態の調節に役立たせることができる。
【００１７】
請求項２に記載の構成によれば、情報表示端末装置は、その情報表示領域の一部に当該情報表示端末装置に対応する本遊技台のデータ項目の値の判定結果を色または記号で表示すると共に、色または記号表示した領域とは別の領域に、本遊技台とは異なる遊技台のデータ項目の値の判定結果を色または記号で表示するので、データ項目について、本遊技台の状態と本遊技台とは異なる遊技台の状態との比較を行うことができ、バランスを見ることができる。
【００１８】
請求項３に記載の構成によれば、本遊技台と、本遊技台と背中合わせで設置されている遊技台とのデータ項目の状態の比較を行うことができる。また、請求項４に記載の構成によれば、本遊技台と、本遊技台と対面して設置されている遊技台とのデータ項目の状態の比較を行うことができる。
【００１９】
請求項５に記載の構成によれば、遊技台毎の釘調整値、特賞確率設定、売上、稼働率、差玉の各データ項目より選ばれた複数のデータ項目について、その状態が一目で分かる。
【００２０】
請求項６に記載の構成によれば、本遊技台の釘調整値、特賞確率設定、売上、稼働率、差玉の少なくとも１つについて、特定日と特定日とは異なる別の日付の状態とが一目で分かり、比較できる。
【００２１】
請求項７に記載の構成によれば、データ項目の値に基いた色又は記号が設定変更可能であるので、データ項目の値に基いた色や記号を容易に変更することができ、色もしくは記号の持つレベルに秘匿性をもたせることができる。
【００２２】
。
請求項８に記載の構成によれば、情報表示端末装置は、データ項目の値を入力する入力手段を備え、入力手段からデータ項目の値が入力されると該データ項目を入力された値に書き換え、書き換えた値に対応した色または記号で情報表示端末装置に表示するので、データ項目について入力した値を反映させることができる。
【００２３】
請求項９に記載の構成によれば、管理装置に通信接続された携帯端末を有し、該携帯端末からデータ項目を管理装置に送信すると、管理装置が情報表示端末装置にデータ項目を指令し、情報表示端末装置が指令されたデータ項目について、遊技台毎のデータ項目の値の判定結果に基いた色または記号で情報表示端末装置に一斉に表示するので、島端において携帯端末を操作するだけで、所望のデータ項目について状態の分布を見ることができる。
【００２４】
請求項１０に記載の構成によれば、各データ項目より選ばれた少なくとも１つの共通するデータ項目について、遊技台毎のデータ項目の値の判定結果に基いた色または記号で情報表示端末装置に一斉に表示した状態を、撮像手段により撮像し、撮像手段から得られた映像を管理装置に接続されたモニタに表示するので、撮影した映像を見るだけで、データ項目の状態の分布が分かる。また、離れた場所からでも分布を確認することができる。
【発明を実施するための最良の形態】
【００２５】
以下、本発明の実施の形態を図面を参照して説明する。図１は、本発明の各台情報表示端末システムを適用したホールのレイアウトの一部を示す図である。ホールには、多数のパチンコ遊技台２が並列配置された島３が所定箇所に設置されている。なお、図１では、３つの島３ａ，３ｂ，３ｃを図示している。島３ａ，３ｂ，３ｃのパチンコ遊技台２，２間には、後述の情報表示端末装置を一体的に備えた台間玉貸機４が配設されている。なお、台間玉貸機４は、パチンコ遊技台２毎に対応して設けられている（図１において、符号２ａ及び符号４ａで示すように、パチンコ遊技台に対応する台間玉貸機は、当該パチンコ遊技台の左側に配置されている）。また、ホールには、各島間をそれぞれ撮像する複数のカメラ５ａ，５ｂが配置されている。図１では、カメラ５ａは島３ａを撮像し、カメラ５ｂは、島３ｂ及び島３ｃを撮像する。
【００２６】
図２は、台間玉貸機４の外観を示す斜視図である。台間玉貸機４の本体正面の上部には紙幣投入口７（例えば、１０００円札）が設けられ、紙幣投入口７の下方に硬貨投入口８（例えば、５００円硬貨）が設けられている。硬貨投入口８の下方には、本体から前方に向けて突出した支持部６，６が上下に設けられ、支持部６，６間には、情報表示端末装置９を構成するタッチパネル式の液晶表示パネルが設けられている。なお、液晶表示パネルは、操作入力手段を兼ねるものである。また、この発明において情報表示端末装置９の情報表示画面は、島端（図１においては右方のカメラ５）に向けて配置されている。従って、島端にいる者が各パチンコ遊技台に対応する各台に対応する情報表示端末装置９の情報表示画面を一目で確認することができる。
【００２７】
情報表示端末装置９の下方には、玉排出口１０が延在自由に取り付けられ、該玉排出口１０の先端は、図示しないパチンコ遊技台の上皿の上部まで延在するように構成されている。また、玉排出口１０の下方には硬貨返却口１１が設けられている。硬貨投入口８から投入された硬貨が硬貨識別装置で識別されて偽と判定された場合に該硬貨返却口１１から返却される。さらに、台間玉貸機４の本体正面の下部には会員カード挿入口１２が設けられている。なお、会員カード挿入口１２の奥方の本体内部には会員カードリーダが設けられ、会員カード挿入口１２に会員カードを挿入すると会員カードに記憶された会員ＩＤが読み出される。
【００２８】
図３は、本発明の実施形態に係る各台情報表示端末システム１のブロック図である。本実施形態の各台情報表示端末システム１は、管理室或いは事務所等に設置された管理装置１３、ホール内に複数設置されたパチンコ遊技台２の１台に対して１対１で（即ち、遊技台毎に）配備された台間玉貸機４、各台間玉貸機４と管理装置１３とを双方向データ通信可能に接続するＬＡＮ１４により構成される。管理装置１３は、ＣＰＵ、ＲＯＭ、ＲＡＭ、通信インタフェース及びデータ記憶用の記憶装置を備えた制御部、ＣＲＴ或いは液晶パネル等からなる表示画面を有する表示装置、操作入力のためのキーボード装置及びマウスを備えている。複数のカメラ５は、例えば、遊技場の天井や島間の通路の入口の斜め上方に配置され、管理装置１３からの指令により島３を上方から撮像した実画像、島間において向かい合う各パチンコ遊技台２を撮像した実画像を管理装置１３に送る。
【００２９】
図４は、台間玉貸機４の要部ブロック図である。硬貨投入口８から硬貨が投入されると、硬貨識別装置１５によって硬貨の真贋が判別され、正規の硬貨であれば貨幣計数器１７に入金信号が与えられる。また、紙幣投入口７から紙幣が投入されると、紙幣識別装置１６によって紙幣の真贋が判別され、正規の紙幣であれば貨幣計数器１７に入金信号が与えられる。貨幣計数器１７は投入された貨幣の金額を積算するものである。貨幣計数器１７で積算された投入金額データは制御部１８に与えられて記憶されると共に、情報表示端末装置９に金額が表示される。なお、制御部１８は、例えば、ＣＰＵ、ＲＯＭ、ＲＡＭ、データ記憶用の記憶装置等を備えたマイクロコンピュータで構成されている。また、制御部１８には玉貸機構部（遊技媒体払出装置）１９が接続され、情報表示端末装置９上に表示された表示操作ボタンへの操作に応じた玉貸操作信号が情報表示端末装置９から入力されると、投入金額データに見合った数の玉を玉貸機構部１９から排出するように構成されている。さらに、制御部１８には会員カードリーダ２０が接続され、会員カード挿入口１２に会員カードが挿入されると、会員カードに記憶された会員ＩＤが読み出されて制御部１８に記憶される。また、制御部１８は、通信インタフェース２１及びＬＡＮ１４（図２参照）を通じて管理装置１３とデータの送受を行う。
【００３０】
ホールにおいて、営業中（開店後）、図３に示す各パチンコ遊技台２からは、セーフ玉数に対応したセーフ信号、アウト玉数に対応したアウト信号、特賞信号等が出力され、これらの信号は管理装置１３に受信される。管理装置１３は、これらのデータを管理データ及びパチンコ遊技台２毎の遊技履歴データとして記憶する。また、管理装置１３は、管理データや遊技履歴データを演算処理してパチンコ遊技台２毎の稼働率、差玉を算出して記憶する。また、各台間玉貸機４の制御部１８は、玉貸が発生する毎に金額に対応した売上信号を管理装置１３に対して送信する。管理装置１３は、売上信号を受信し、パチンコ遊技台２毎に売上を算出して記憶する。
【００３１】
そして、閉店後に、パチンコ遊技台の釘調整等の各種調整を行う。管理装置１３には、パチンコ遊技台２毎に、釘調整状態を釘調整値というデータ形式で記憶されている。なお、釘調整値は、現在の釘調整状態と、その日の売上、稼働率、差玉等の営業データを参考に決められる値で、その値に応じて複数のレベルにレベル分けされている。管理装置１３は、閉店後、パチンコ遊技台２毎の釘調整値、売上、稼働率、差玉の各データを各パチンコ遊技台２に対応する各台間玉貸機４に送信する。また、この実施形態では、多数ある台間玉貸機４の制御部１８のうちの１つに、各台間玉貸機４の情報表示端末装置９における閉店後の情報表示に関する管理機能（表示指令機能やデータ記憶機能）を持たせている（例えば、図３に示す台間玉貸機４Ａ）。この明細書において、管理機能を持たせた台間玉貸機４をメイン台間玉貸機ということにし、その制御部をメイン制御部ということにする。前記管理装置１３は、メイン台間玉貸機のメイン制御部に対して、全てのパチンコ遊技台２毎の釘調整値、売上、稼働率、差玉の各データを送信する。メイン制御部は、全てのパチンコ遊技台２毎の釘調整値、売上、稼働率、差玉の各データを受信すると、これらのデータをデータ記憶用の記憶装置に記憶する。一方、各台間玉貸機４の制御部１８は、釘調整値、売上、稼働率、差玉の各データを受信すると、データ記憶用の記憶装置に各データを記憶する。
【００３２】
そして、メイン台間玉貸機のメイン制御部は、各台間玉貸機４に対して表示するデータ項目として釘調整値の表示指令を送信する。各台間玉貸機４の制御部１８は、メイン制御部から送信された釘調整値の表示指令を受けると、情報表示端末装置９の情報表示画面に、例えば、図５に示すような釘調整画面を表示する。従って、各パチンコ遊技台に対応した各情報表示端末装置の情報表示画面に釘調整画面が一斉に表示される。図５の釘調整画面において、現在の釘調整状態を表す釘調整値は、その値に応じたレベルに対応する色によって表示される。この実施形態では、釘調整値（のレベル）は、ランクと記されている「Ａ」〜「Ｈ」の８段階のレベル分けとなっている。従って、釘調整値の色表示は、「Ａ」〜「Ｈ」の８段階のレベルに対応して８色のうちの１色で表現される。
【００３３】
図６は、メイン台間玉貸機の情報表示端末装置（メイン情報表示端末装置という）の情報表示画面に表示される釘調整値のレベルに対応する表示色の設定画面を示す図である。図６に示す設定例では、ランク「Ａ」は赤、ランク「Ｂ」は緑、ランク「Ｃ」は青、ランク「Ｄ」は桃、ランク「Ｅ」は橙、ランク「Ｆ」は黄、ランク「Ｇ」は紫、ランク「Ｈ」は紺である。なお、これらのレベルに対応する表示色の設定状態は固定的ではなく、設定変更が可能である。例えば、ランク「Ａ」の表示色を赤から赤紫に変更したい場合、表示色のエリアを選択して操作すると（画面上におけるタッチパネルを操作）表示可能な色が登録されているパレットが表示され、パレットの中の赤紫を選択することで、ランク「Ａ」の表示色を赤から赤紫に設定変更する。
【００３４】
各パチンコ遊技台２の各情報表示端末装置の情報表示画面にて、レベルを表す色を表示する場合、例えば、釘調整画面の背景色をレベルに応じた色とすることが望ましい。このようにすると、島端から情報表示端末装置９の釘調整画面を眺めた場合、一目でどの色が表示されているのかが容易に分かり、釘調整のレベルを即座に把握できる。また、並列配置された島３における多数のパチンコ遊技台の釘調整のレベル分布が色の相違による分布として直感的に把握することができる。
【００３５】
また、図５の釘調整画面において、釘調整に使うことのできるデータとして、釘「１」〜「８」、調整「１」〜「１６」が表示されている。また、盤面において実際に釘調整を行った後の新しい釘調整状態を設定するランク「Ａ」〜「Ｈ」が表示されている。そして、釘、調整、ランクの各ボタンは、タッチパネル式の設定入力ボタンに設定されている。ここで、釘「１」〜「８」は、例えば、釘の位置を表すものであり、調整「１」〜「１６」は、例えば、調整量を表しているが、釘、調整の各データがそれぞれ何を指すデータであるかは、ホールの都合で適宜決定し得るものである。また、釘、調整の各データは、使用しなくてもよい。また、図５の釘調整画面の左下には、釘、調整、ランクの現在の設定状態の数値が表示されている。
【００３６】
各パチンコ遊技台の盤面において実際に釘調整を行った者が、図５の釘調整画面で新しい釘調整状態に対応するランクを「Ａ」〜「Ｈ」より選び、設定入力する。すると、図５の釘調整画面の左下の「新」と「ランク」とが交差する欄に設定入力した新しい釘調整の数値が表示される。そして、図５の釘調整画面に表示されている「釘調整設定送信」ボタンを操作入力すると、データ記憶用の記憶装置の釘調整値が設定入力された数値（レベル）に書き換えられ、釘調整画面が書き換えたレベルに対応した背景色に切り換る。さらに、制御部１８は、メイン台間玉貸機のメイン制御部に対して書き換えた釘調整値を送信する。メイン制御部は、送信された釘調整値を受信すると、パチンコ遊技台２毎に記憶されている当該パチンコ遊技台の釘調整値を受信した釘調整値に書き換えて記憶する。釘調整値の変更が全て終了した時点で、メイン台間玉貸機のメイン制御部は各パチンコ遊技台の釘調整値を管理装置１３に送信する。
【００３７】
次に、実施形態の各台情報表示端末システムの別機能について説明する。図８乃至図９は、メイン台間玉貸機のメイン制御部が行う表示指令処理のフローチャートである。メイン情報表示端末装置に表示されている釘調整画面（図７参照）には、「メニュー」ボタンが表示されており（ステップＳ００）、メニューボタンが操作されたか否かを判別している（ステップＳ０１）。この「メニュー」ボタンが操作されると、図１０に示すようなメニュー画面を表示する（ステップＳ０２）。メニュー画面には、「１．表示項目を１つ選択」と「２．選択並列表示」（２つの表示項目を選択）の２つのメニューが選択可能である旨が表示され、２つのメニューにおける選択できる表示項目として「釘調整値」、「売上」、「稼働率」、「差玉」の４つの選択ボタンが表示されている。
【００３８】
メイン制御部は、表示項目１つであるか否か（ステップＳ０３）、表示項目２つであるか否かを判断しており（ステップＳ０４）、「１．表示項目を１つ選択」の場合には、「釘調整値」、「売上」、「稼働率」、「差玉」のうちの１つを選択する。これらの項目の１つが選択されると、例えば、図１１に示すような選択された表示項目についてのサブメニュー画面を表示する（ステップＳ０５）。
【００３９】
サブメニュー画面には、「１．色表示」、「２．他の遊技台との比較（背面と対面との２つが選択可能）」、「３．前日との比較」、「４．表示色の設定」、「５．メニューに戻る」の５つのメニューが選択可能である旨が表示され、これらが選択ボタンとして設定されている。
【００４０】
メイン制御部は、これらの選択項目の何れかが選択されたか否かを順次判断しており（ステップＳ０６〜ステップＳ１１）、「１．色表示」が選択された場合には、選択された表示項目（例えば、釘調整値が選択されている場合には釘調整値）の色表示指令を他の全ての台間玉貸機の制御部に送信し（ステップＳ１２）、ステップＳ０６に戻る。各台間玉貸機の制御部は、この色表示指令に応じて表示項目（例えば、釘調整値が選択されている場合には釘調整値）のレベルをレベルに対応して設定された背景色で表示する。例えば、釘調整値の表示指令が送信された場合、ランクＡの釘調整値が設定されている台間玉貸機の制御部であれば、その情報表示端末装置９の情報表示画面の背景色が「赤」となる（図６参照）。
【００４１】
また、「２．他の遊技台との比較」の「背面」が選択された場合には、各台間玉貸機に対応するパチンコ遊技台の背面に対応するパチンコ遊技台について、表示項目のデータをデータ記憶用の記憶装置から読み出して対応する各台間玉貸機の制御部にそれぞれ送信し（ステップＳ１３）、全ての台間玉貸機の制御部に背面との比較表示を指令し（ステップＳ１４）、ステップＳ０６に戻る。
【００４２】
各台間玉貸機の制御部は、背面との比較表示を指令されると、情報表示画面の一部に情報表示端末装置に対応する本遊技台のデータ項目のレベルを背景色で表示すると共に、レベル表示した領域とは別の領域に、背中合わせの位置となる遊技台のデータ項目のレベルを背景色で表示する。例えば、図１おいて、台間玉貸機４ａの情報表示端末装置の情報表示画面では、図１２に示すように、情報表示画面の左半分に台間玉貸機４ａに対応するパチンコ遊技台２ａについての表示項目のレベルが色で表示され、情報表示画面の右半分に、パチンコ遊技台２ａと背中合わせに設置されたパチンコ遊技台２ｂについての表示項目のレベルが色で表示される。これにより、各情報表示端末装置の情報表示画面が、表示項目について一斉に本遊技台と背面の遊技台との比較に切り換る。
【００４３】
これにより、各遊技台と、各遊技台に対して背中合わせに設置されている各遊技台同士の釘調整状態や表示データ項目（売上、稼働率、差玉）のレベルの比較を行うことができ、バランスを見ることができる。
【００４４】
また、「２．他の遊技台との比較」の「対面」が選択された場合には、各台間玉貸機に対応するパチンコ遊技台の対面に対応するパチンコ遊技台について、表示項目のデータをデータ記憶用の記憶装置から読み出して対応する各台間玉貸機の制御部にそれぞれ送信し（ステップＳ１５）、全ての台間玉貸機の制御部に対面との比較表示を指令し（ステップＳ１６）、ステップＳ０６に戻る。
【００４５】
各台間玉貸機の制御部は、対面との比較表示を指令されると、情報表示画面の一部に情報表示端末装置に対応する本遊技台のデータ項目のレベルを背景色で表示すると共に、レベル表示した領域とは別の領域に、対面に設置された遊技台のデータ項目のレベルを背景色で表示する。例えば、図１おいて、台間玉貸機４ａの情報表示端末装置の情報表示画面では、図１３に示すように、情報表示画面の左半分に台間玉貸機４ａに対応するパチンコ遊技台２ａについての表示項目のレベルが色で表示され、情報表示画面の右半分に、パチンコ遊技台２ａに対して対面となるパチンコ遊技台２ｃについての表示項目のレベルが色で表示される。これにより、各情報表示端末装置の情報表示画面が、表示項目について一斉に本遊技台と対面の遊技台との比較に切り換る。
【００４６】
これにより、各遊技台と、各遊技台の対面に設置されている各遊技台同士の釘調整状態や表示データ項目（売上、稼働率、差玉）のレベルの比較を行うことができ、バランスを見ることができる。
【００４７】
「３．前日との比較」が選択された場合には、選択された表示項目（例えば、釘調整値が選択されている場合には釘調整値）の前日との比較表示指令を他の全ての台間玉貸機の制御部に送信し（ステップＳ１７）、ステップＳ０６に戻る。各台間玉貸機の制御部は、前日との比較表示を指令されると、データ記憶用の記憶装置に記憶されている前日分の表示項目データを読み出し、情報表示画面の一部に本日分のデータ項目のレベルを背景色で表示すると共に、レベル表示した領域とは別の領域に、前日分のデータ項目のレベルを背景色で表示する。例えば、図１４に示すように、情報表示画面の右半分に本日分の表示項目（釘調整）のレベルが色で表示され、情報表示画面の左半分に、前日の表示項目（釘調整）のレベルが色で表示される。これにより、各情報表示端末装置の情報表示画面が、表示項目について一斉に本日分と前日分との比較に切り換る。従って、各遊技台について、本遊技台の釘調整値について、本日のレベルと前日のレベルとが一目で分かり、比較できる。なお、実施形態では、本日分と前日分とを比較しているが、本日分に対する比較対象日は、前日に限らず、本日以前の日付であってもよい。また、本日以前の日付のうちの２日同士を比較するものであってもよい。
【００４８】
「４．表示色の設定」が選択された場合には、選択された表示項目の表示色設定画面（例えば、図６）を表示し（ステップＳ１８）、先の説明したような表示色設定画面における表示色設定に関する処理を行い（ステップＳ１９）、表示項目についての表示色の設定結果を他の全ての台間玉貸機の制御部に送信し（ステップＳ２０）、ステップＳ０６に戻る。各台間玉貸機の制御部は、表示項目についての表示色の設定結果を受信すると、データ記憶用の記憶装置に記憶されている表示項目についての表示色の設定データ（表示色の設定テーブル）を受信した表示色の設定結果に書き換える。従って、表示項目についてのレベルが変化しなくとも、表現される色が変更される。これにより、例えば、釘調整値の場合、色に対するレベルを容易に変更することができ、色の持つレベルに秘匿性をもたせることができる。
【００４９】
「５．メニューに戻る」が選択された場合には、ステップＳ０２に戻る。従って、メイン情報表示端末装置の情報表示画面における表示がメニュー画面に戻る。なお、「１．色表示」、「２．他の遊技台との比較（背面と対面との２つが選択可能）」、「３．前日との比較」、「４．表示色の設定」、「５．メニューに戻る」の５つのメニューのいずれもが選択されない場合は、ステップＳ０６に戻る。
【００５０】
また、図１０に示すメニュー画面において、「２．選択並列表示」（２つの表示項目を選択）の場合には、「釘調整値」、「売上」、「稼働率」、「差玉」のうちから２つを選択する。これらの項目の２つが選択されると、メイン制御部は、選択された２つの表示項目の色表示を他の全ての台間玉貸機の制御部に指令し（ステップＳ２１）、ステップＳ０３に戻る。
【００５１】
各台間玉貸機の制御部は、２つの表示項目の色表示を指令されると、情報表示画面の一部に指令された２つのデータ項目のうちの１つの表示項目のレベルを背景色で表示すると共に、前記レベル表示した領域とは別の領域に、残る１つの表示項目のレベルを背景色で表示する。例えば、図１５に示すように、情報表示画面の上半分に釘調整値のレベルが色で表示され、情報表示画面の下半分に、売上のレベルが色で表示される。これにより、各情報表示端末装置の情報表示画面が、２つの表示項目についての並列表示に切り換る。従って、遊技台毎の釘調整値、売上、稼働率、差玉の各データ項目より選ばれた２つのデータ項目について、そのレベルが一目で分かる。なお、遊技台毎の釘調整値、売上、稼働率、差玉の各データ項目より選ばれた少なくとも２つ（３つまたは４つ）のデータ項目を指定して各データ項目のレベルを色表示してもよい。
【００５２】
その他、管理装置１３に無線通信接続されたホール専用の携帯端末を用い、該携帯端末から表示項目（釘調整値、売上、稼働率、差玉の何れかを選択）を管理装置１３に送信すると、管理装置１３が各台間玉貸機の制御部に表示項目を指令し、各台間玉貸機の制御部が情報表示端末装置９に指令された表示項目についてレベルに対応した色で一斉に表示する構成を付加してもよい。これによれば、島端において携帯端末を操作するだけで、所望の表示項目のレベルの分布を見ることができる。
【００５３】
また、表示項目（釘調整値、売上、稼働率、差玉）より選ばれた少なくとも１つの共通するデータ項目について、遊技台毎のレベルを該レベルに対応した色で情報表示端末装置９に一斉に表示した状態を、カメラ（撮像手段）により撮像し、カメラから得られた映像を管理装置１３に接続されたモニタに表示する構成を付加してもよい。これによると、撮影した映像を見るだけで、表示項目のレベルの分布が分かる。また、表示された画面をそのままマップ画面（表示された各台情報表示装置の画面に触れることで、その情報が表示されるというような画面）として、使用してもよい。
【００５４】
以上、本発明の実施形態について説明したが、本発明の各台情報表示端末システムは、上述した実施形態に限定されるものではない。上述した実施形態では、情報表示端末装置９は、台間玉貸機４と一体的に台間に配置されるものを用いて説明しているが、これに限らず、台間玉貸機４と別体のもので、独立した制御部を備えたものでもよい。また、情報表示端末装置９は、その配置場所として台間に配置されるものに限らず、遊技台の上部に配置される呼出ランプでもよい。
【００５５】
上述した実施形態では、多数ある台間玉貸機４のうちの１つをメイン台間玉貸機とし、その制御部をメイン制御部として、各台間玉貸機４の情報表示端末装置９における閉店後の情報表示に関する管理機能（表示指令機能やデータ記憶機能）を持たせて説明しているが、管理機能をどの装置に持たせるか実施形態のものに限らず、適宜定めることができる。例えば、管理室或いは事務所に設置されている所謂ホールコンピュータに各台間玉貸機４の情報表示端末装置９における閉店後の情報表示に関する管理機能（表示指令機能やデータ記憶機能）を持たせてもよい。
【００５６】
また、上述した実施形態では、遊技台としてパチンコ遊技台を用いて説明しているが、遊技台はパチンコ遊技台に限られるものではない。すなわち、遊技台はスロットマシンである場合を含む。但し、遊技台がスロットマシンである場合には、釘調整値の代りにスロットマシンにおける特賞確率の設定値（例えば、設定１〜設定６まで可変設定が可能なものが知られている）とする。閉店後、スロットマシンの特賞確率の設定変更を行うときに、現在の特賞確率の設定状態（レベル）を各情報表示端末装置の情報表示画面に、画面の背景色で一斉に表示させる。すなわち、設定１〜設定６にそれぞれ対応した色で一斉に表示させる。情報表示端末装置９の特賞確率設定画面を眺めた場合、一目でどの色が表示されているのかが容易に分かり、特賞確率の設定レベルを即座に把握できる。また、並列配置された島３における多数のスロットマシンの特賞確率の設定レベル分布を直感的に把握することができる。
【００５７】
なお、「色または記号で情報表示端末装置に一斉に表示する」の意味は、時期的に完全に同時に表示することを意味するのではない。また、一斉は、全遊技台を意味するものではなく、少なくとも分布が視認できる程度の台数が一斉に表示され、分布が確認できればよい。上述した実施形態では、表示項目のレベルをレベルに対応づけした色で表示する構成としているが、色表示に代えて、表示項目のレベルに対応付けした記号表示としてもよい。なお、記号表示は、記号の大小、ホールのキャラクタの大小、点滅スピードの違い等を含む。さらに、上述した実施形態では、表示項目のレベルをレベルに対応づけした色で表示する構成としているが、表示項目の値を大小比較し（所定の条件に基いて判定する事の一例）、値の大きい順にグラデーションを付けるように色表示してもよい。
【図面の簡単な説明】
【００５８】
【図１】本発明の各台情報表示端末システムを適用したホールのレイアウトの一部を示す図
【図２】情報表示端末装置を含んで構成された台間玉貸機の外観を示す斜視図
【図３】本発明の実施形態に係る各台情報表示端末システムのブロック図
【図４】同実施形態の台間玉貸機の要部ブロック図
【図５】同実施形態の情報表示端末装置の情報表示画面に表示される釘調整画面の一態様を示す図
【図６】同実施形態におけるメイン台間玉貸機の情報表示端末装置（メイン情報表示端末装置という）の情報表示画面に表示される釘調整値のレベルに対応する表示色の設定画面を示す図
【図７】同実施形態におけるメイン情報表示端末装置の情報表示画面に表示される釘調整画面の一態様を示す図
【図８】同実施形態におけるメイン台間玉貸機のメイン制御部が行う表示指令処理の一部を示すフローチャート
【図９】図８のフローチャートのつづき
【図１０】同実施形態におけるメイン情報表示端末装置の情報表示画面に表示されるメニュー画面を示す図
【図１１】同実施形態におけるメイン情報表示端末装置の情報表示画面に表示されるサブメニュー画面を示す図
【図１２】同実施形態における各情報表示端末装置の情報表示画面に表示される本遊技台と本遊技台の背面に設置された遊技台との比較表示画面を示す図
【図１３】同実施形態における各情報表示端末装置の情報表示画面に表示される本遊技台と本遊技台の対面に設置された遊技台との比較表示画面を示す図
【図１４】同実施形態における各情報表示端末装置の情報表示画面に表示される１つの表示項目について本日分のレベルと前日分のレベルとの比較表示画面を示す図
【図１５】同実施形態における各情報表示端末装置の情報表示画面に表示される２つの表示項目についての並列表示画面を示す図
【符号の説明】
【００５９】
１  各台情報表示端末システム
２  パチンコ遊技台
３  島
４  台間玉貸機
５  カメラ
６  支持部
７  紙幣投入口
８  硬貨投入口
９  情報表示端末装置
１０  玉排出口
１１  硬貨返却口
１２  会員カード挿入口
１３  管理装置
１４  ＬＡＮ
１５  硬貨識別装置
１６  紙幣識別装置
１７  貨幣計数器
１８  制御部
１９  玉貸機構部
２０  会員カードリーダ
２１  通信インタフェース
【図１】
2005168576.tif 000003
【図２】
2005168576.tif 000004
【図３】
2005168576.tif 000005
【図４】
2005168576.tif 000006
【図５】
2005168576.tif 000007
【図６】
2005168576.tif 000008
【図７】
2005168576.tif 000009
【図８】
2005168576.tif 000010
【図９】
2005168576.tif 000011
【図１０】
2005168576.tif 000012
【図１１】
2005168576.tif 000013
【図１２】
2005168576.tif 000014
【図１３】
2005168576.tif 000015
【図１４】
2005168576.tif 000016
【図１５】
2005168576.tif 000017